(57)【要約】【課題】ユーザの発する合図音である間欠音に応じて音声情報の再生を開始させることが可能である音声情報再生装置を提供すること。【解決手段】所定レベル以上の間欠音を含む音情報を入力するための音情報入力手段１１０、音情報入力手段１１０と後述の制御情報生成手段１３０との接続を切換える切換手段１２０、所定レベル以上の各間欠音が検出された各時刻に基づいて、後述の再生手段１５０によって再生される音声情報の再生開始および再生速度に関する情報を含む、前記音声情報の再生を制御するための制御情報を生成する制御情報生成手段１３０、制御情報を視認可能に表示する制御情報表示手段１４０、および制御情報に応じて音声情報の再生を開始し、制御情報に応じた再生速度で音声情報の再生を行う再生手段１５０によって構成される。【選択図】　図１
2004070027.tif 000002
【特許請求の範囲】
【請求項１】
所定の音声情報を再生する再生手段と、所定レベル以上の間欠音の情報を含む音情報を入力するための音情報入力手段と、前記所定レベル以上の各間欠音が検出された各時刻に基づいて、前記音声情報の再生開始に関する情報を含む、前記音声情報の再生を制御するための制御情報を生成する制御情報生成手段とを備え、前記再生手段は、前記制御情報に応じて前記音声情報の再生を開始することを特徴とする音声情報再生装置。
【請求項２】
前記制御情報は、前記音声情報が再生される再生速度に関する情報を含み、前記再生速度に関する情報は、前記所定レベル以上の各間欠音が検出された各時刻に基づいて生成され、前記再生手段は、前記制御情報に応じた前記制御情報に応じた再生速度で前記音声情報を再生することを特徴とする請求項１記載の音声情報再生装置。
【請求項３】
前記制御情報は、前記音声情報が再生される音量に関する情報を含み、前記音量に関する情報は、前記音情報に含まれる音圧に関する情報に基づいて生成され、前記再生手段は、前記制御情報に応じた音量で前記音声情報を再生することを特徴とする請求項１または請求項２に記載の音声情報再生装置。
【請求項４】
前記制御情報は、前記音声情報の再生の基準となる周波数に関する情報を含み、前記周波数に関する情報は、前記音情報に含まれる音の周波数帯に関する情報に基づいて生成され、前記再生手段は、前記制御情報に応じた周波数帯で前記音声情報を再生することを特徴とする請求項１乃至請求項３の何れかに記載の音声情報再生装置。
【請求項５】
前記制御情報を視認可能に表示する制御情報表示手段を備えたことを特徴とする請求項１乃至請求項４の何れかに記載の音声情報再生装置。
【請求項６】
前記音情報入力手段と前記制御情報生成手段との接続を切換える切換手段を備えたことを特徴とする請求項１乃至請求項５の何れかに記載の音声情報再生装置。
【発明の詳細な説明】
【０００１】
【発明の属する技術分野】
本発明は、音楽などの音声情報の再生における制御情報をユーザの入力する音情報に基づいて生成する音声情報再生装置に関するものである。
【０００２】
【従来の技術】
従来、この種の音声情報再生装置は、特開平１０−３０１５６７号公報に開示されたものが知られている。
【０００３】
図３は、従来の音声情報再生装置の構成を示すブロック図である。
従来の音声情報再生装置３００は、音声情報の再生を制御するための制御情報を音声を媒介として入力する音声入力手段３１０、入力された音声を認識して、音声に含まれる制御情報を検出する音声認識手段３３１、および検出された制御情報に基づいて音声情報の再生を行う再生手段３６０によって構成される。
制御情報は、コマンド化されており、ユーザは、制御情報としてコマンドを発声する。
【０００４】
この構成により、音声を介して入力された制御情報に基づいて音声情報の再生が行われるため、装置の煩雑な操作方法を習得する必要がない音声情報再生装置が実現できる。
【０００５】
【発明が解決しようとする課題】
しかし、このような従来の音声情報再生装置では、制御情報が音声を媒介として入力され、複雑な音声認識を行うため、音声を媒介にして制御情報が入力されてから音声情報が再生されるまでに所定の時間を必要とし、音声情報が再生されるタイミングがわからないことがあるという問題があった。
【０００６】
本発明は、このような問題を解決するためになされたもので、ユーザの発する合図音である間欠音に応じて音声情報の再生を開始させることが可能である音声情報再生装置を提供するものである。
【０００７】
【課題を解決するための手段】
本発明の音声情報再生装置は、所定の音声情報を再生する再生手段と、所定レベル以上の間欠音の情報を含む音情報を入力するための音情報入力手段と、前記所定レベル以上の各間欠音が検出された各時刻に基づいて、前記音声情報の再生開始に関する情報を含む、前記音声情報の再生を制御するための制御情報を生成する制御情報生成手段とを備え、前記再生手段は、前記制御情報に応じて前記音声情報の再生を開始する構成を有している。この構成により、間欠音を含む音情報の検出時刻に基づいて音声情報の再生開始のタイミングを決定するため、ユーザの発する合図音である間欠音に応じて音声情報の再生を開始させることが可能である。
【０００８】
また、本発明の音声情報再生装置は、所定の音声情報を再生する再生手段と、所定レベル以上の間欠音の情報を含む音情報を入力するための音情報入力手段と、前記所定レベル以上の各間欠音が検出された各時刻に基づいて、前記音声情報の再生開始に関する情報を含む、前記音声情報の再生を制御するための制御情報を生成する制御情報生成手段とを備え、制御情報は、前記音声情報が再生される再生速度に関する情報を含み、前記再生速度に関する情報は、前記所定レベル以上の各間欠音が検出された各時刻に基づいて生成され、前記再生手段は、前記制御情報に応じて前記音声情報の再生を開始し、前記制御情報に応じた前記制御情報に応じた再生速度で前記音声情報を再生する構成を有している。この構成により、間欠音を含む音情報の検出時刻に基づいて音声情報の再生開始のタイミングを決定するため、ユーザの発する合図音である間欠音に応じて音声情報の再生を開始させることが可能であり、また、間欠音を含む音情報の検出時刻に基づいて音声情報の再生速度を決定するため、ユーザの発する合図音である間欠音の音間隔に応じて音声情報の再生速度とを変化させることが可能である。
【０００９】
また、本発明の音声情報再生装置は、所定の音声情報を再生する再生手段と、所定レベル以上の間欠音の情報を含む音情報を入力するための音情報入力手段と、前記所定レベル以上の各間欠音が検出された各時刻に基づいて、前記音声情報の再生開始に関する情報を含む、前記音声情報の再生を制御するための制御情報を生成する制御情報生成手段とを備え、前記制御情報は、前記音声情報が再生される音量に関する情報を含み、前記音量に関する情報は、前記音情報に含まれる音圧に関する情報に基づいて生成され、前記再生手段は、前記制御情報に応じて前記音声情報の再生を開始し、前記制御情報に応じた音量で前記音声情報を再生する構成を有している。この構成により、間欠音を含む音情報の検出時刻に基づいて音声情報の再生開始のタイミングを決定するため、ユーザの発する合図音である間欠音に応じて音声情報の再生を開始させることが可能であり、また、間欠音を含む音情報に含まれる音圧に関する情報に基づいて、音声情報の再生音量を決定するため、ユーザの発する合図音である間欠音の音圧に応じて音声情報の再生音量を変化させることが可能である。
【００１０】
また、本発明の音声情報再生装置は、所定の音声情報を再生する再生手段と、所定レベル以上の間欠音の情報を含む音情報を入力するための音情報入力手段と、前記所定レベル以上の各間欠音が検出された各時刻に基づいて、前記音声情報の再生開始に関する情報を含む、前記音声情報の再生を制御するための制御情報を生成する制御情報生成手段とを備え、前記制御情報は、前記音声情報の再生の基準となる周波数に関する情報を含み、前記周波数に関する情報は、前記音情報に含まれる音の周波数帯に関する情報に基づいて生成され、前記再生手段は、前記制御情報に応じて前記音声情報の再生を開始し、前記制御情報に応じた周波数帯で前記音声情報を再生する構成を有している。この構成により、間欠音を含む音情報の検出時刻に基づいて音声情報の再生開始のタイミングを決定するため、ユーザの発する合図音である間欠音に応じて音声情報の再生を開始させることが可能であり、また、間欠音を含む音情報に含まれる周波数に関する情報に基づいて、音声情報の再生音程を決定するため、ユーザの発する合図音である間欠音の音程に応じて音声情報の再生音程を変化させることが可能である。
【００１１】
また、本発明の音声情報再生装置は、所定の音声情報を再生する再生手段と、所定レベル以上の間欠音の情報を含む音情報を入力するための音情報入力手段と、前記所定レベル以上の各間欠音が検出された各時刻に基づいて、前記音声情報の再生開始に関する情報を含む、前記音声情報の再生を制御するための制御情報を生成する制御情報生成手段と、前記制御情報を視認可能に表示する制御情報表示手段とを備え、前記再生手段は、前記制御情報に応じて前記音声情報の再生を開始する構成を有している。この構成により、間欠音を含む音情報の検出時刻に基づいて音声情報の再生開始のタイミングを決定するため、ユーザの発する合図音である間欠音に応じて音声情報の再生を開始させることが可能であり、さらに、制御情報を表示する制御情報表示手段を備えたため、制御情報を視認可能に表示することが可能である。
【００１２】
また、本発明の音声情報再生装置は、所定の音声情報を再生する再生手段と、所定レベル以上の間欠音の情報を含む音情報を入力するための音情報入力手段と、前記所定レベル以上の各間欠音が検出された各時刻に基づいて、前記音声情報の再生開始に関する情報を含む、前記音声情報の再生を制御するための制御情報を生成する制御情報生成手段と、前記音情報入力手段と前記制御情報生成手段との接続を切換える切換手段とを備え、前記再生手段は、前記制御情報に応じて前記音声情報の再生を開始する構成を有している。この構成により、間欠音を含む音情報の検出時刻に基づいて音声情報の再生開始のタイミングを決定するため、ユーザの発する合図音である間欠音に応じて音声情報の再生を開始させることが可能であり、さらに、音情報の入力を切断することができるため、誤った制御情報の生成による不適切な音声情報の再生を防ぐことが可能である。
【００１３】
【発明の実施の形態】
以下、本発明の実施の形態について、図面を用いて説明する。
図１は、本発明の実施の形態の音声情報再生装置の構成を示すブロック図である。
音声情報再生装置１００は、所定レベル以上の間欠音を含む音情報を入力するための音情報入力手段１１０、音情報入力手段１１０と後述の制御情報生成手段１３０との接続を切換える切換手段１２０、所定レベル以上の各間欠音が検出された各時刻に基づいて、後述の再生手段１５０によって再生される音声情報の再生開始および再生速度に関する情報を含む、前記音声情報の再生を制御するための制御情報を生成する制御情報生成手段１３０、制御情報生成手段１３０によって生成された制御情報を視認可能に表示する制御情報表示手段１４０、および制御情報に応じて音声情報の再生を開始し、制御情報に応じた再生速度で音声情報の再生を行う再生手段１５０によって構成される。
【００１４】
なお、音声情報再生装置１００によって再生される音声情報とは、例えば、音楽等の楽曲情報を含むものでもよいし、または、演説などの音声情報を含むものなど、音を含む情報であれば何れも適用可能である。
また、所定レベルとは、設定された音圧レベルのことであるが、設定される音圧レベルは、外部からの操作入力によって可変となるようにしてもよい。
【００１５】
また、間欠音を含む音情報とは、音圧のピーク値を有する音がそれぞれ異なったタイミングで、かつ、所定の時間間隔よりも短い周期で複数発せられたものであればよく、例えば、楽器等によって発せられたものでもよいし、人の音声でもよい。
ここで、上記の所定の時間間隔は、再生手段１５０において再生される音声情報によって異なる。
【００１６】
なお、再生手段１５０において再生される音声情報は、再生手段１５０に予め格納されているのでもよいし、外部装置から入力されるのでもよい。また、音声情報が再生されるときの基準となる再生速度（以下、基準速度という。）、音声情報が再生されるときの基準となる再生音量（以下、基準音量という。）、および音声情報が再生されるときの基準となる再生音程（以下、基準音程という。）は、音声情報毎に予め決められているものとする。
【００１７】
音情報入力手段１１０には、音声情報再生装置１００の外部において発せられた所定レベル以上の間欠音を含む音情報（以下、間欠音情報という。）が入力され、音情報入力手段１１０は、入力された間欠音情報を切換手段１２０経由で制御情報生成手段１３０に出力するようになっている。
【００１８】
なお、切換手段１２０が制御情報生成手段１３０以外の手段または外部装置と音情報入力手段１１０とを接続するための端子を有している場合に、音情報入力手段１１０は、音声情報再生装置１００の外部において発せられた音情報を入力とし、入力された音情報を切換手段１２０経由で制御情報生成手段１３０以外の手段または外部装置に出力するようになっている。ここで、切換手段１２０が制御情報生成手段１３０以外の手段または外部装置と音情報入力手段１１０とを接続するための端子を有し、かつ、制御情報生成手段１３０以外の手段または外部装置と音情報入力手段１１０とが接続されている場合は、音情報には、所定レベル以上の間欠音を含まなくてもよいものとする。
【００１９】
切換手段１２０は、音情報入力手段１１０と制御情報生成手段１３０とを接続するための端子を有し、音情報入力手段１１０と制御情報生成手段１３０との接続と上記接続の切断とを切換え、音情報入力手段１１０経由で入力された間欠音情報を制御情報生成手段１３０に入力させるようになっている。
なお、切換手段１２０は、音情報入力手段１１０と制御情報生成手段１３０とを接続するための端子だけでなく、制御情報生成手段１３０以外の手段または外部装置と音情報入力手段１１０とを接続するための端子を有し、音情報入力手段１１０経由で入力された音情報を制御情報生成手段１３０以外の手段または外部装置に入力させるのでもよい。
また、切換手段１２０が無くても、本発明の実施の形態の音声情報再生装置１００は、実現可能である。
【００２０】
制御情報生成手段１３０には、音情報入力手段１１０によって切換手段１２０経由で出力された間欠音情報が入力され、制御情報生成手段１３０は、入力された間欠音情報に含まれる音圧のピーク値を検出することによって間欠音を検出し、検出された間欠音に基づいて、再生手段１５０の音声情報の再生における再生速度に関する情報（以下、再生速度情報という。）と再生開始に関する情報（以下、開始情報という。）とを含む、再生手段１５０の音声情報の再生を制御するための制御情報を生成するようになっている。
【００２１】
ここで、再生速度とは、例えば、１分間当たりの４分音符の個数などで定義される速度でもよいし、その他の定義で実現されてもよい。また、制御情報生成手段１３０によって生成される再生速度情報は、再生速度の定義に応じて生成されるものとする。
【００２２】
なお、制御情報生成手段１３０は、開始情報、および再生速度情報と共に制御情報に含まれる情報として、間欠音情報に含まれる音圧に関する情報（以下、音圧情報という。）を検出し、検出された音圧情報に基づいて、再生手段１５０において再生される音声情報の再生音量に関する情報（以下、再生音量情報という。）を生成してもよいものとする。
【００２３】
また、制御情報生成手段１３０は、開始情報、および再生速度情報と共に制御情報に含まれる情報として、間欠音情報に含まれる音の周波数帯に関する情報（以下、音程情報という。）を検出し、検出された音程情報に基づいて、再生手段１５０の音声情報の再生において基準となる周波数に関する情報（以下、再生音程情報という。）を生成してもよいものとする。
【００２４】
上記の開始情報、再生速度情報、再生音量情報および再生音程情報を含む制御情報を生成する制御情報生成手段１３０は、例えば、再生速度生成手段１３１、再生音量生成手段１３２、再生音程生成手段１３３によって構成される。
【００２５】
再生速度生成手段１３１には、間欠音情報が入力され、再生速度生成手段１３１は、間欠音情報に含まれる音圧のピーク値を検出することによって間欠音を検出し、所定数の間欠音を検出したと同時に開始情報を出力するようになっている。
なお、再生速度生成手段１３１は、最初に間欠音を検出した検出時刻と所定数番目の間欠音を検出した検出時刻との差が予め設定された値を超えていた場合には、開始情報を出力しないようになっていてもよい。
【００２６】
また、再生速度生成手段１３１には、間欠音情報が入力され、再生速度生成手段１３１は、間欠音情報に含まれる音圧のピーク値を検出することによって間欠音を検出し、各間欠音を検出した時刻である検出時刻に基づいて間欠音間隔の平均値を算出し、算出された間欠音間隔の平均値に基づいて再生速度情報を生成し、制御情報表示手段１４０、および再生手段１５０に出力するようになっている。
なお、音圧のピーク値が所定のレベルに達していない場合には、間欠音は検出されない。
【００２７】
ここで、間欠音間隔は、例えば、最初の間欠音の検出時刻を第１の検出時刻とし、次の間欠音の検出時刻を第２の検出時刻とすると、第２の検出時刻と第１の検出時刻との差によって表される。さらに、第２の間欠音間隔は、第３の検出時刻と第２の検出時刻との差によって表され、求めた間欠音間隔の全てに基づいて間欠音間隔の平均値は算出される。
【００２８】
また、再生速度情報の生成は、例えば、間欠音間隔の平均値の逆数を算出することによって実行されてもよいし、間欠音間隔の平均値に対する再生速度情報の対応表を予め格納しておき、対応表に基づいて再生速度情報を抽出することによって実行されてもよい。
【００２９】
ここで、開始情報を出力するために必要な間欠音の所定数、および再生速度情報の生成に必要な間欠音の所定数は、再生手段１５０において再生される音声情報によって異なる。また、再生速度情報の生成に必要な間欠音の所定数は、開始情報を出力するために必要な間欠音の所定数よりも少ないものとし、再生速度情報は、開始情報が送信される前に送信されるものとする。
【００３０】
再生音量生成手段１３２には、間欠音情報が入力され、再生音量生成手段１３２は、間欠音に含まれる音圧情報を間欠音情報毎に検出し、検出した音圧情報に基づいて再生音量情報を生成し、生成した再生音量情報を制御情報表示手段１４０、および再生手段１５０に出力するようになっている。
なお、音圧情報の検出は、例えば、間欠音の音圧の最大値を検出するのでもよいし、間欠音の音圧の平均値でもよい。
【００３１】
また、再生音量情報の生成は、複数の音圧情報の平均値を演算することによって実行されてもよいし、または、複数の音圧情報の中で最大となる音圧情報を再生音量情報とすることによって実行されるのでもよい。
また、再生音量情報の出力は、再生速度生成手段１３１の再生速度情報の出力と同時に実行されるものとする。
【００３２】
再生音程生成手段１３３には、間欠音情報が入力され、間欠音に含まれる音程情報を間欠音情報毎に検出し、検出した音程情報に基づいて再生音程情報を生成し、生成した再生音程情報を制御情報表示手段１４０、および再生手段１５０に出力するようになっている。
なお、音程情報の検出は、例えば、間欠音のなかで音圧が最大となる周波数成分を検出するのでもよいし、間欠音に含まれる周波数成分の中心値であってもよい。
【００３３】
なお、再生音程情報の生成は、複数の音程情報の平均値を演算することによって実行されてもよいし、または、複数の音程情報の中で音圧が最大である音程情報を再生音程情報とすることによって実行されてもよい。
また、再生音程情報の出力は、再生音量生成手段１３２の再生速度情報の出力と同時に実行されるものとする。
【００３４】
制御情報表示手段１４０には、制御情報生成手段１３０によって出力された制御情報が入力され、制御情報表示手段１４０は、入力された制御情報を視認可能に表示するようになっている。
ここで、制御情報表示手段１４０は、例えば、ディスプレイなどの表示手段によって制御情報を画像を媒介にして表示するのでもよい。
【００３５】
また、制御情報を表示する画像は、例えば、文字を用いて制御情報を示すものでもよいし、画像に映し出されるキャラクタの動き、または表情などによって制御情報を示すものでもよい。
【００３６】
図２は、制御情報を表示する画像の例を示した図である。
図２において、制御情報はキャラクタの動き、または表情などによって示されている。
図２（ａ）は、制御情報の入力、すなわち間欠音情報の入力を待っているときのキャラクタの表情を示す図である。
【００３７】
図２（ｂ）は、音声情報の再生に失敗したときのキャラクタの表情を示す図である。図２（ｂ）において、キャラクタの表情は、不安そうな表情になっている。
なお、音声情報の再生の失敗は、例えば、制御情報生成手段１３０によって検出された最初に間欠音の検出時刻と所定数番目の間欠音の検出時刻との差が予め設定された値を超えていた場合に発生する。
【００３８】
図２（ｃ）、および図２（ｄ）は、再生手段１５０によって音声情報の再生が開始された後のキャラクタの表情を示す図である。再生速度情報を含む制御情報が入力されたときに、音声情報の再生速度に応じて図２（ｃ）に示されたキャラクタと図２（ｄ）に示されたキャラクタとが交互に表示され、ユーザは、キャラクタの表示が切り替る速さを確認することによって音声情報の再生速度を確認することができる。
【００３９】
なお、制御情報表示手段１４０は、例えば、画像生成手段１４１および表示手段１４２によって構成されるが、同様の処理が可能であれば他の構成によって実現されてもよいものとする。
画像生成手段１４１には、制御情報生成手段１３０によって出力された制御情報が入力され、画像生成手段１４１は、入力された制御情報に基づいて制御情報を表示する画像を生成し、生成した画像を表示手段１４２に出力するようになっている。
【００４０】
表示手段１４２には、画像生成手段１４１によって出力された画像が入力され、表示手段１４２は、入力された画像を表示するようになっている。
なお、画像生成手段１４１によって生成される画像は、再生手段１５０によって再生される音声情報の内容に応じて変更されるのでもよい。
【００４１】
再生手段１５０には、制御情報生成手段１３０によって出力された制御情報が入力され、再生手段１５０は、入力された制御情報に含まれる開始情報に応じて音声情報の再生を開始し、制御情報に含まれる再生速度情報に応じた再生速度で音声情報を再生し、再生された音声情報を外部装置に出力するようになっている。
ここで、再生速度は、基準速度と再生速度情報とに基づいて決定されるものとする。
【００４２】
なお、再生手段１５０は、開始情報が入力されると同時に音声情報の再生を開始するのでもよいし、所定の時間間隔が経過した後に音声情報を再生するのでもよい。
また、上記の所定の時間間隔は、制御情報に含まれる再生速度情報に応じて設定されるのでもよい。
【００４３】
制御情報に再生音量情報が含まれている場合に、再生手段１５０は、再生音量情報に応じた再生音量で音声情報の再生を実行する。ここで、再生音量は、基準音量と再生音量情報とに基づいて決定されるものである。
制御情報に再生音程情報が含まれている場合に、再生手段１５０は、再生音程情報に応じた再生音程で音声情報の再生を実行する。ここで、再生音程は、基準音程と再生音程情報とに基づいて決定されるものである。
【００４４】
なお、再生手段１５０は、間欠音の入力に基づいて制御情報生成手段１３０によって出力される制御情報が入力されなくても、外部装置によって再生開始のタイミング、再生速度、再生音量、および再生音程を制御できるように構成されていてもよい。
また、間欠音の入力に基づいて制御情報生成手段１３０によって出力される制御情報に応じた再生速度、再生音量、再生音程の変更は、音声情報の再生開始時に限らず、音声情報の再生中においても、間欠音の入力に応じて再生速度、再生音量、再生音程の変更を行えるようにしてもよい。
【００４５】
また、再生手段１５０は、切換手段１２０によって音情報入力手段１１０と接続されてもよい。ここで、再生手段１５０が切換手段１２０を介して音情報入力手段１１０と接続されているときに、再生手段１５０は、音情報入力手段１１０によって出力された音情報を入力として、入力された音情報と再生された音声情報とを外部装置に出力するのでもよい。
【００４６】
以下、本発明の実施の形態の音声情報再生装置の動作について、４分の４拍子の音声情報を再生する場合を例に挙げて説明する。
【００４７】
まず、切替手段１２０によって音情報入力手段１１０と制御情報生成手段１３０とが接続され、外部において発せられた４個の連続した間欠音よりなる間欠音情報が音情報入力手段１１０、切替手段１２０経由で制御情報生成手段１３０に入力される。
【００４８】
次に、入力された間欠音情報に基づいて制御情報生成手段１３０によって以下のように制御情報が生成され、生成された制御情報が制御情報表示手段１４０および再生手段１５０に出力される。
【００４９】
４個の間欠音のうち４番目の間欠音が検出されると同時に開始情報が生成される。
また、最初に検出された第１の間欠音の検出時刻、２番目に検出された第２の間欠音の検出時刻および３番目に検出された第３の間欠音の検出時刻に基づいて間欠音間隔の平均値が算出され、算出された間欠音間隔の平均値に基づいて再生速度情報が生成される。
【００５０】
また、最初に検出された第１の間欠音の音圧情報、２番目に検出された第２の間欠音の音圧情報および３番目に検出された第３の間欠音の音圧情報に基づいて音圧情報の平均値が算出され、算出された音圧情報の平均値に基づいて再生音量情報が生成される。
【００５１】
また、最初に検出された第１の間欠音の音程情報、２番目に検出された第２の間欠音の音程情報および３番目に検出された第３の間欠音の音程情報に基づいて音程情報の平均値が算出され、算出された音程情報の平均値に基づいて再生音程情報が生成される。
【００５２】
なお、再生速度情報、再生音量情報および再生音程情報は、開始情報が再生手段１５０に入力される時刻よりも前に、再生手段１５０に入力される。
次に、再生手段１５０に開始情報が入力され、再生速度情報、再生音量情報および再生音程情報に基づいた音声情報の再生が開始される。また、制御情報表示手段１４０に制御情報が入力され、制御情報が視認可能に表示される。
【００５３】
以上説明したように、本発明の実施の形態の音声情報再生装置は、間欠音を含む音情報の検出時刻に基づいて音声情報の再生開始のタイミングを決定するため、ユーザの発する合図音である間欠音に応じて音声情報の再生を開始させることが可能である。
また、間欠音を含む音情報の検出時刻に基づいて音声情報の再生速度を決定するため、ユーザの発する合図音である間欠音の音間隔に応じて音声情報の再生速度とを変化させることが可能である。
また、間欠音を含む音情報に含まれる音圧に関する情報に基づいて、音声情報の再生音量を決定するため、ユーザの発する合図音である間欠音の音圧に応じて音声情報の再生音量を変化させることが可能である。
また、間欠音を含む音情報に含まれる周波数に関する情報に基づいて、音声情報の再生音程を決定するため、ユーザの発する合図音である間欠音の音程に応じて音声情報の再生音程を変化させることが可能である。
また、制御情報を表示する制御情報表示手段を備えたため、制御情報を視認可能に表示することが可能である。
また、音情報の入力を切断することができるため、誤った制御情報の生成による不適切な音声情報の再生を防ぐことが可能である。
【００５４】
【発明の効果】
以上説明したように、本発明は、ユーザの発する合図音である間欠音に応じて音声情報の再生を開始させることが可能である音声情報再生装置を提供することができるものである。
【図面の簡単な説明】
【図１】本発明の実施の形態の音声情報再生装置の構成を示すブロック図
【図２】本発明の実施の形態の制御情報表示手段に表示される画像の例を示す図
【図３】従来の音声情報再生装置の構成を示すブロック図
【符号の説明】
１００、３００　音声情報再生装置
１１０　音情報入力手段
１２０　切換手段
１３０　制御情報生成手段
１３１　再生速度生成手段
１３２　再生音量生成手段
１３３　再生音程生成手段
１４０　制御情報表示手段
１４１　画像生成手段
１４２　表示手段
１５０　再生手段
３１０　音声入力手段
３３１　音声認識手段
３６０　再生手段
【図１】
2004070027.tif 000003
【図２】
2004070027.tif 000004
【図３】
2004070027.tif 000005